(57)【要約】      （修正有）【課題】隣り合う扉を同一平面に並べることにより意匠性を高め、折り戸の開扉時における間口の狭さを無くし、引き違い戸の開閉時の支障を解消し、開き戸における扉開閉時の回動スペースをより小さくすることにより、空間を最大限に利用する。【解決手段】キャビネット体１０に配されるステー固定具５と、扉１１の内側に配される扉保持具６と、一端が前記ステー固定具５に回動自在に軸着され、同様に他端が扉保持具６に回動自在に軸着されてなる長短２本のステー部材３  ４とで構成された開閉具１を、該キャビネット体１０の上下に配し、前記キャビネット体１０に具備される扉１１の開閉時において、一端がステー固定具５に回動自在に軸着され、他端が扉保持具６に回動自在に軸着される長短２本のステー部材３  ４の回動軌跡上をキャビネット体１０の前面に沿うがごとくに横方向に移動させることにより扉１１を開閉せしめる。【選択図】          図４
2004190471.tif 000002
【特許請求の範囲】
【請求項１】
キャビネット体の前面に具備される扉の開閉具であって、
キャビネット体に配されるステー固定具と、扉の内側に配される扉保持具と、一端が前記ステー固定具に回動自在に軸着され、同様に他端が扉保持具に回動自在に軸着されてなる長短２本の内外ステー部材とで構成された開閉具を、該キャビネット体の上下に配し、
前記キャビネット体に具備される扉の開閉時において、一端がステー固定具に回動自在に軸着され、他端が扉保持具に回動自在に軸着される長短２本の内外ステー部材の回動軌跡上をキャビネット体の前面に沿うがごとくに横方向に移動させ、扉を開閉せしめることにより、扉の開閉代を省スペース化したことを特徴とするステー式扉開閉具。
【請求項２】
キャビネット体の前面に具備される扉の開閉具であって、
キャビネット体の天板に配されるステー固定具と、扉の上部内側に配される扉保持具と、一端が前記ステー固定具に回動自在に軸着され、同様に他端が扉保持具に回動自在に軸着される長短２本の内外ステー部材とで構成された上部開閉具と、前記キャビネット体の底板に配される下ステー固定具と、扉の下部内側に配される扉下保持具には、前記長短内外ステー部材の何れか一方のステーを用い、一端は下ステー固定具に回動自在に軸着され、同様に他端は扉下保持具に回動自在に軸着されてなる下部開閉具とで構成され、
前記キャビネット体に具備される扉をキャビネット体天板に配される上部開閉具の長短２本のステー部材と、キャビネット体底板に配される下部開閉具の長短何れか１本のステー部材の回動軌跡上をキャビネット体の前面に沿うがごとくに横方向に移動させ、扉を開閉せしめることにより、扉の開閉代を省スペース化したことを特徴とするステー式扉開閉具。
【請求項３】
請求項１および請求項２に記載の開閉具であって、一横方向に開閉するよう構成された開閉具を天地逆に配することにより、他方向にも開閉可能としたことを特徴とするステー式開閉具。
【発明の詳細な説明】
【０００１】
【発明の属する技術分野】
本発明は、家具等のキャビネット体や下駄箱、収納庫等の前面に具備される扉の開閉具に関する。
【０００２】
【従来技術とその問題点】
家具等のキャビネット体や下駄箱、収納庫等の前面に具備される扉の開閉に関しては、開き戸、折り戸、引き違い戸のように開閉方法によって扉の開閉構造が異なっていた。
【０００３】
開き戸においては、１枚の扉を蝶番で固定し開閉するものであるが、蝶番を軸として扉を回転するために壁からの突出量が多く狭い空間においては使い勝手が悪かった。
【０００４】
折り戸においては、１枚の扉の幅を半分に分け２枚にすることで、開閉時における扉の回転代が従来の扉の半分になり、狭い廊下や室内における使用には便利であったが、前記したように従来１枚であった扉の幅を半分にしたものであるため、開口部の間口が狭くなると共に、天井側と床側に扉を開閉保持するための溝やレール等を配する必要があり、加工上扉を２枚繋ぐため、その部品点数も多く施工も煩雑であった。
【０００５】
また、引き違い戸においては天井と床に夫々扉を開閉するための溝が必要であり、さらに２枚の扉を開閉するためには、扉の厚さが２枚分必要であり、奥行きの浅い家具や収納庫には不向きであった。
【０００６】
そのため、左右の扉を同一平面に位置し開閉する方法が考えられたが、なかでも吊り車とレールとを用いた方法がよく知られている（特許公開公報２００２−２９５１１６号、特許公開公報２００２−１３８７４１号、特許公開公報平８−１２１０１３号）が、上記の方法では部品点数も多く構造が複雑であるため、施工が煩雑であった。
【０００７】
【発明が解決しようとする課題】
前述したように、家具等のキャビネット体や下駄箱、収納庫等の前面に具備される扉の開閉に関しては、開き戸、折り戸、引き違い戸のように開閉方法によって扉の開閉構造が異なっており、開き戸においては、蝶番を軸として扉全体を回転するため、扉の回転代が大きくなり、狭い空間においては扉の大きさで収納の形態が限定されてしまっていた。
【０００８】
折り戸においては、従来１枚であった扉の幅を半分にしたものであるため、扉を開いた場合にその開口部の間口が狭くなり、また、天井側と床側に扉を開閉保持するための溝やレール等を配するため、溝やレール等にゴミ等が入った場合に扉の開閉に支障が出た。
【０００９】
引き違い戸においては、折り戸と同様に天井と床に夫々扉を開閉保持するための溝が必要であり、溝にゴミ等が入った場合に扉の開閉に支障が発生したり、溝の深さが浅いと扉が外れるなどの問題があった。
【００１０】
本発明は、上記問題点を解消するために、開き戸における扉の開閉スペースをより小さくし、折り戸の開扉時における間口の狭さを無くし、引き違い戸の開閉時の支障を解消し、左右の扉を同一平面に並べるとともに、扉の開閉時の回転スペースを従来よりも省スペース化を計り、狭い空間を最大限に利用することが可能な扉の開閉具を提供することにある。
【００１１】
【課題を解決するための手段】
以上の課題を解決するため、本発明に係るステー式扉開閉具は、キャビネット体の前面に具備される扉の開閉具であって、キャビネット体に配されるステー固定具と、扉の内側に配される扉保持具と、一端が前記ステー固定具に回動自在に軸着され、同様に他端が扉保持具に回動自在に軸着されてなる長短２本のステー部材とで構成され、該開閉具をキャビネット体の上下に配し、前記キャビネット体に具備される扉の開閉時において、一端がステー固定具に回動自在に軸着され、他端が扉保持具に回動自在に軸着される長短２本のステー部材の回動軌跡上をキャビネット体の前面に沿うがごとくに横方向に移動させ、扉を開閉せしめることにより、扉の開閉代を省スペース化したことを特徴とする。
【００１２】
また、キャビネット体の前面に具備される扉の開閉具であって、キャビネット体の天板に配されるステー固定具と、扉の上部内側に配される扉保持具と、一端が前記ステー固定具に回動自在に軸着され、同様に他端が扉保持具に回動自在に軸着される長短２本のステー部材とで構成された上部開閉具と、前記キャビネット体の底板に配される下ステー固定具と、扉の下部内側に配される扉下保持具には、前記長短ステーの何れか一方のステーを用い、一端は下ステー固定具に回動自在に軸着され、同様に他端は扉下保持具に回動自在に軸着されてなる下部開閉具とで構成され、前記キャビネット体に具備される扉をキャビネット体天板に配される上部開閉具の長短２本のステー部材と、キャビネット体底板に配される下部開閉具の長短何れか１本のステー部材の回動軌跡上をキャビネット体の前面に沿うがごとくに横方向に移動させ、扉を開閉せしめることにより、扉の開閉代を省スペース化したことを特徴とする。
【００１３】
さらに、上記記載の開閉具であって、一横方向に開閉するよう構成された開閉具を天地逆に配することにより、他方向にも開閉可能としたことを特徴とするものである。
【００１５】
【発明の実施の形態】
以下、図面によって本発明に係るステー式扉開閉具の実施形態を説明する。
【００１６】
図１は本発明の実施形態の開閉具を示す斜視図であり、図２は、内側ステーを用いた実施例を示す下部開閉具の閉扉時の平面図である。
【００１７】
図１および図２において、１は上部開閉具、２は内側ステーを使用した下部開閉具である。３は内側ステー、４は外側ステー、５はステー固定具、６は扉１１の内側に配される扉保持具であり、７は下ステー固定具、８は扉下保持具である。
【００１８】
図３（ａ）は、本発明の実施形態の開閉具１の閉扉状態を示す断面図であり、図３（ｂ）は、本発明の実施形態の開閉具１の開扉状態を示す断面図である。
【００１９】
図３（ａ）によれば、内側ステー３の一端は、ステー固定具５に軸部材５３およびワッシャー５８を介してステー固定具５の固定軸孔５１に回動自在に軸着され、ステー保持具５の内部で大きく屈曲された形状を成している。
【００２０】
この屈曲は図３（ｂ）に示すように、扉１１の開扉状態においてキャビネット体１０の側板および隣接する扉１１の厚さを避け、接触せずに開扉できる寸法に設定される。したがって、隣接する扉１１の有無あるいは扉１１の厚みによって屈曲の深さや角度は変更される。
【００２１】
さらに、内側ステー３の他端は、扉保持具６に軸部材６３およびワッシャー５８を介して扉保持具６の固定軸孔６１に回動自在に軸着される。
【００２２】
外側ステー４の一端は、ステー固定具５の固定軸孔５２に軸部材５４およびワッシャー５８を介して回動自在に軸着され、ステー固定具５内の方向に延長され、ばね取付部９３が設けられる。
【００２３】
一方、外側ステー４も内側ステー３と同様に、他端は扉保持具６に軸部材６４およびワッシャー５８を介して扉保持具６の固定軸孔６２に回動自在に軸着される。
【００２４】
また、扉保持具５側の他端においては、開扉時に内側ステー３との接触を避け、開扉角度を確保するための屈曲部が設けられている。
【００２５】
ステー固定具５は、側面略コの字形状に形成され、内側ステー３の固定用軸孔５１が扉１１寄りの位置に、外側ステー４の固定軸孔５２が扉１１より離れた位置に夫々配されるが、閉扉時における内側ステー３と外側ステー４の干渉を避けるため構成となっている。
【００２６】
側面略コ字形状に成形されるステー固定具５の背面には開口部５０が設けられているが、該開口部５０は、外側ステー４のばね取付け部９３を押圧するばね９が、外側ステー４の回動に連動して動くため、ばね９の動き代に十分な寸法を持って開口される。
【００２７】
ステー固定具５は、本発明の実施形態においては、側面略コ字形状に成形されるが、扉１１の大きさ、重量、形態によっては面略コ字形状に成形する必要はなく、例えば薄板状のものでも良いし、鋳物のようなもので成形しても良く、使用条件にあった成形をすれば良い。
【００２８】
ばね９は、ステー固定具５の背面の開口部５０を覆うように設けられたばね保護カバー９１内に、該保護カバー９１に設けた軸孔９４に挿入固定される軸部材９５と、外側ステー４のばね取付け部９３との間に２枚のばね保持具９２を介して、伸縮自在で外側ステー４の回動に連動して動作するよう取付けられる。
【００２９】
この時ばね９は、外側ステー４の回動に連動して常時外側ステー４のばね取付け部９３を押圧するよう設定されており、特に閉扉時においてはキャビネット体１０前面に扉１１を常時押圧するよう配されている。これは、キャビネット体１０が取り付けられた場所によっては傾斜している場合があり、このとき扉１１が不用意に開かないようにするためである。
【００３０】
しかしながら、ばね９の大きさがステー固定具５内に内包可能な寸法である場合や、トーションばね等の形状の異なるばねを設定した場合、さらに、ばね９を必要としない使用形態もあるため、ばね保護カバー９１は、後から別部品として、ステー固定具５の背面に軸着あるいは溶着等の方法で取付けられる。
【００３１】
次に、キャビネット体１０に開閉具１を固定するための固定用のねじ孔５５は、扉１１から離れた箇所では上下同形状の貫通孔が設けられ、扉１１寄りのねじ孔５６は一面が小さな固定のねじ孔であるが他面においては、固定用ねじの頭が通る大きさに楕円穴５７開けられ、上下が互い違いになるよう設定されるが、これは取付けねじが内側ステー３の回動を邪魔せず確実に、キャビネット体１０にステー固定具５を取付けるためであり、さらに、反対側に向けて（裏向けに）置いても使用可能とするためである。
【００３２】
つまり、扉１１の開閉方向を変える場合には、左右勝手違いを作るのではなく、ステー固定具５を裏返しに使用できるようねじ孔５５  ５６が配されている（図４・５参照）。
【００３３】
図２の下部開閉具２は、キャビネット１０の下部に配される下ステー固定具８と、扉１１の内部側に配される扉下保持具９には、内側ステー３（外側ステー４でもよい）を一本用い、一端は下ステー固定具７に軸部材７３およびワッシャー５８を介して固定軸孔７１に回動自在に軸着され、他端は扉下保持具８の固定軸孔８１に軸部材８３およびワッシャー５８を介して回動自在に軸着されて構成される。
【００３４】
扉１１が開閉具１によって回動するのに従って開閉具１に同調して内側ステー２も回動し、扉１１の開閉動作が円滑に行くよう補助する。
【００３５】
このとき、下ステー固定具７の軸穴７１と、扉下保持具８の軸孔８１はキャビネット体上部に取付けられるステー固定具５の軸孔５１と、扉保持具６の軸孔６１に対応する位置に取付ける必要がある。取付ける位置が異なると、ステーの回動軌跡が異なり、扉１１が円滑に動作しなくなる。
【００３６】
図４は、連続する扉１１を有するキャビネット体１０における扉１１の開閉動作を説明した図である。
【００３７】
扉１１は、閉扉状態から開扉を開始し、内外両ステー３  ４の回動軌跡上を開扉してゆくが、開扉方向に向かって若干傾斜した状態でキャビネット体１０の前面を沿うがごとくに開扉する。これ等は前述したように、２本のステー３と４の長さ、ステー固定具５の固定用軸孔５１と５２の位置が異なるためである。
【００３８】
完全開扉時においては、キャビネット体１０の前面に概ね平行に位置する。
【００３９】
図５は、２枚の連続する扉１１を有するキャビネット１０における本実施形態のステー式扉開閉具をキャビネット１０の中央に配した平面図である。
【００４０】
本実施形態のステー式扉開閉具は、左右使い勝手が無い設定のため、ステー式扉開閉具１を隣り合わせで使用する場合、１個のステー式扉開閉具を裏返しに（反対に）して取り付ければ、扉１１を反対方向に開くことが可能となることは前述した通りである。
【００４１】
図６（ａ）は、本実施形態において、鋼板を折り曲げて形成した外側ステー４を組み込んだ開閉具１の閉扉時の例を示す断面図あり、（ｂ）は、該開閉具１の開扉時の例を示す断面図である。
【００４２】
この時、外側ステー４は略コ字形状に形成し、内寸法を内側ステー３の外寸法よりも幅を広く取れば、扉１１の開閉時において内側ステー３の一部を内包する形となり、内側ステー３と外側ステー４の干渉が回避可能となり、開扉時においても内側ステー３の一部を内包する形となり、内側ステー３と外側ステー４の干渉が回避可能となる。
【００４３】
図７は、本実施形態において、鋼板の薄板を用いて開閉具１を形成した実施例を示す平面図である。
【００４４】
この時、内側ステー３を軸着する軸孔５１の扉側１１より奥で、外側ステー４を軸着する軸孔５２と相対する位置に軸孔５１’を設けて外側ステー４を軸着し、外側ステー４を軸着する軸孔５２の扉１１寄りで、内側ステー３を軸着する軸孔５１と相対する位置に軸孔５２’を設けて内側ステー３を軸着することにより、扉１１の開き方向を変えられるようステー固定具５を形成するとよい。
【００４５】
図８は、従来キャビネット体１０の扉１１’と本発明の実施形態の扉１１の回転スペースの比較を示す説明図であって、１２は従来の蝶番で、Ｗは扉の幅である。従来扉１１’の開閉時においては、扉１１’の回転スペースが扉の幅Ｗにほぼ一致することが明らかである。
【００４６】
【発明の効果】
本発明は、上記問題点を解消するために、隣り合う扉を同一平面に並べることにより意匠性を高め、折り戸の開扉時における間口の狭さを無くし、引き違い戸の開閉時の支障を解消し、開き戸における扉開閉時の回動スペースをより小さくすることにより、省スペース化を計り、空間を最大限に利用することが可能な扉の開閉具を提供することにある。
【００４７】
また、本発明の構成は、すでによく知られているところのスライドヒンジに用いられているリンク機構を採用しているため、信頼性の高さと施工性の容易さは、すでに市場において認知されているところである。
【００４８】
従来のスライドヒンジのリンク機構は、扉の開閉にあたっては、扉を回転させて開閉していた。しかしながら本発明においては、同様のリンク機構を採用し、扉を横移動させるため、信頼性が高く施工性の容易で、空間を最大限に利用することが可能な扉の開閉具を提供することができる。
【図面の簡単な説明】
【図１】本発明の開閉具を示す斜視図
【図２】本発明の下部開閉具の閉扉状態を示す平面図
【図３】（ａ）本発明の開閉具の閉扉状態を示す断面図
【図３】（ｂ）本発明の開閉具の開扉状態を示す断面図
【図４】連続する扉を有するキャビネット体における扉の開閉動作の説明図
【図５】本発明の開閉具をキャビネット体中央に並列した状態を示す説明図
【図６】（ａ）本発明の外ステーを変更した他の実施形態における閉扉状態を示す説明図
【図６】（ｂ）本発明の外ステーを変更した他の実施形態における開扉状態を示す説明図
【図７】本発明の開閉具を鋼板の薄板を用いた他の実施例を示す平面図
【図８】従来キャビネット体の扉と、本発明の実施形態の扉の回転スペースの比較を示
す説明図
【符号の説明】
１      開閉具
２      下部開閉具
３      内側ステー
４      外側ステー
５      ステー固定具
６      扉保持具
７      下ステー固定具
８      扉下保持具
９      ばね
１０    キャビネット体
１１    扉
５１  ５２  ６１  ６２  ７１  ８１    固定軸孔
５３  ５４  ６３  ６４  ７３  ８３    軸部材
５５  ５６    ねじ孔
５７    楕円孔
９１    ばね保持具
９２    ばね保護カバー
【図１】
2004190471.tif 000003
【図２】
2004190471.tif 000004
【図３】
2004190471.tif 000005
【図４】
2004190471.tif 000006
【図５】
2004190471.tif 000007
【図６】
2004190471.tif 000008
【図７】
2004190471.tif 000009
【図８】
2004190471.tif 000010